(57)【要約】【課題】ＧＰＳ受信機に替わり、現在地点を取得し、携帯電話・携帯情報端末の地図アプリケーションの地図上に現在地点を表示する方法と装置を提供する。【解決手段】街路の建物・構築物の経度と緯度を取得し、バーコード、または、無線ＩＣタグなどの記録媒体に記録し、経度と緯度を取得した建物・構築物に貼付する。携帯電話・携帯情報端末に、経度と緯度から現在地点を表示できる地図アプリケーションをインストールし、建物・構築物に貼付した記録媒体から経度と緯度を読み込み、携帯電話・携帯情報端末の地図アプリケーションの地図上に現在地点を表示する。ＧＰＳ衛星を補足したり、経度と緯度を取得するための計算が不要で、地下やビルの内部などＧＰＳ衛星が見えないところでも、瞬時に経度と緯度を取得し、取得した経度と緯度と現在地点の経度と緯度に誤差を生じることがない。【選択図】図２
2004341460.tif 000002
【特許請求の範囲】
【請求項１】
記録媒体と、
記録媒体読み取り装置と、
携帯電話、または携帯情報端末と、
携帯電話、または携帯情報端末向け、地図アプリケーションとにおいて、
あらかじめ街路の建物・構築物の経度と緯度を取得し、記録媒体に記録し、経度と緯度を取得した街路の建物・構築物に貼付し、
携帯電話、または携帯情報端末の読み取り部、
または読み取り装置により、
前記記録媒体から経度と緯度を読み取り、復号化した経度と緯度から携帯電話、または携帯情報端末の地図アプリケーションの地図上に現在地点を表示することを特徴とする地図表示方法および装置。
【発明の詳細な説明】
【０００１】
【発明の属する技術分野】
ＧＰＳ受信機に替わり、現在地点の経度と緯度を取得し、経度と緯度から携帯電話・携帯情報端末の地図アプリケーションの地図上に現在地点を表示する方法と装置に関するものである。
【０００２】
【従来の技術】
現在の携帯電話やＰＨＳを利用した位置情報サービスでは、「数十から数百メートル」（ＫＤＤＩ）、「都心で１００メートル前後」（ＤＤＩポケット）の誤差が出てしまう。
携帯情報端末では、ＧＰＳ受信機が取得した経度と緯度と、現在地点の経度と緯度に誤差を生じる。
また、経度と緯度を取得するための計算にＧＰＳ受信機の高いＣＰＵ能力と電池寿命が必要である。
【０００３】
従来の携帯電話やＰＨＳを利用した位置情報サービスが、基本的にはそれぞれの基地局からの情報を元に端末の位置を割り出していたのに対し、ｇｐｓＯｎｅでは、カーナビなどで利用されているＧＰＳ衛星からの電波を受信して位置を計測する。さらに、基地局が持っている位置情報も使うことで、ＧＰＳ衛星が見えないところでも位置を特定できるが、誤差を生じる。
非特許文献：ｈｔｔｐ：／／ｗｗｗ．ｚｄｎｅｔ．ｃｏ．ｊｐ／ｍｏｂｉｌｅ／０１０４／０４／ｇｐｓｏｎｅ．ｈｔｍｌ
【０００４】
【発明が解決しようとする課題】
携帯情報端末のＧＰＳ受信機では、
ＧＰＳ受信機をコールドスタートするとＧＰＳ衛星補足までに時間がかかる。
ＧＰＳ受信機をホットスタートすると電池を消耗する。
などＧＰＳ衛星補足や経度と緯度を計算のためのＧＰＳ受信機にＣＰＵ能力や電池寿命の問題がある。
また、携帯情報端末・携帯電話ともに取得した経度と緯度と現在地点の経度と緯度に誤差を生じる。
より効果的に地図情報を利用するためには、精度の高い位置情報サービスと装置が不可欠である。
【０００５】
ＧＰＳ受信機に替わり、現在地点の経度と緯度を取得し、携帯電話、または携帯情報端末の地図アプリケーションの地図上に現在地点を表示する方法と装置を提供する。
【０００６】
【課題を解決するための手段】
記録媒体と、
記録媒体読み取り装置と、
携帯電話、または携帯情報端末と、
携帯電話、または携帯情報端末向け、地図アプリケーションとにおいて、
あらかじめ街路の建物・構築物の経度と緯度を取得し、記録媒体に記録し、経度と緯度を取得した街路の建物・構築物に貼付し、
携帯電話、または携帯情報端末の読み取り部、
または読み取り装置により、
前記記録媒体から経度と緯度を読み取り、復号化した情報から建物・構築物の経度と緯度を取得し、前記経度と緯度から携帯電話、または携帯情報端末の地図アプリケーションの地図上に現在地点を表示する。
【０００７】
【発明の実施の形態】
以下に実施の構成を示す。
本発明による地図表示方法および装置は、
バーコード、または無線ＩＣタグが貼付されたステッカー〔Ａ〕
バーコード、または無線ＩＣタグ読み取り装置〔Ｂ：図はバーコード読み取り装置〕
携帯電話、または携帯情報端末〔Ｃ〕と、
地図アプリケーション〔Ｃ１〕と、
携帯電話、または携帯情報端末の通信部〔Ｃ２〕とからなる。
【０００８】
経度と緯度を記録するバーコードは、コンピュータの自動入力システム（自動認識技術）で使われるバーコードで、ＪＡＮコードなどとして商品に貼付され、ＰＯＳシステムと組み合わせ、物流管理・販売管理などに利用されている１次元または２次元バーコードである。
【０００９】
また、無線ＩＣタグ（正式にはＲＦＩＤと呼ぶ：Ｒａｄｉｏ  Ｆｒｅｑｕｅｎｃｙ  Ｉｄｅｎｔｉｆｉｃａｔｉｏｎの略）は、ＩＣチップにＩＤなどの情報を電波で読み書きできる極小のタグである。読み出し用のアンテナからの電力供給により動作するため、電源が不要で繰り返し利用できる。
ステッカー〔Ａ〕は、バーコード、または無線ＩＣタグが貼付される。
【００１０】
バーコード、または無線ＩＣタグ読み取り装置〔Ｂ〕は、コンピュータの自動入力システム（自動認識技術）で使われる読み取り装置で、ＰＯＳシステムと組み合わせ商品に貼付されたバーコードや無線ＩＣタグを、光学的、または通信による方法で読み取り、物流管理・販売管理などに利用できる。
【００１１】
地図アプリケーション〔Ｃ１〕は、地図の構成要素を線分で表現したベクター地図と、地図を画像として表現するラスター地図の生成機能のほか、建物・構築物などの位置情報と周辺情報などを地図上に組み合わせて表示する機能を備える。
【００１２】
携帯電話、または携帯情報端末の読み取り部は、バーコードや無線ＩＣタグを、光学的、または通信による方法で読み取る。
【００１３】
携帯電話、または携帯情報端末の通信部〔Ｃ２〕は、バーコード、または無線ＩＣタグ読み取り装置〔Ｂ〕の通信部〔Ｂ３〕から読み取り情報を受信する。
【００１４】
以上により、ＧＰＳ受信機に代わり、現在地点の経度と緯度を取得し、経度と緯度から携帯電話・携帯情報端末〔Ｃ〕の地図アプリケーションの地図上に現在地点を表示する方法と装置を提供する。
【００１５】
以下にシステムの全体構成図（図２）により実施の形態を示す。
あらかじめ、世界測地系や独自の測地系による精度の高い方法で街路の建物・構築物の経度と緯度を取得する。
【００１６】
経度と緯度は北緯３５°４３’３７”、東経１３７°０２’１４”のように表されるが、携帯電話・携帯情報端末とのデータの受け渡しのためにＧＰＳ受信機とナビゲーション機器の間をシリアルポートを利用して通信するための規格（ＮＭＥＡ−０１８３）に準拠して、バーコード、または無線ＩＣタグ〔Ａ〕の記録媒体に経度と緯度を記録し（図３）、ステッカーとして建物・構築物に貼付する。
【００１７】
街路で現在地点を地図で確認したい場合には、携帯電話・携帯情報端末〔Ｃ〕の地図アプリケーション〔Ｃ１〕を起動して、バーコード、または無線ＩＣタグ読み取り部のある携帯電話・携帯情報端末〔Ｃ〕、またはバーコード読み取り装置〔Ｂ〕、または無線ＩＣタグ読み取り装置により、ステッカー〔Ａ〕上のバーコードまたは無線ＩＣタグなどの記録媒体からＮＭＥＡフォーマットの経度と緯度を読み取る。
【００１８】
バーコード読み取り装置〔Ｂ〕または無線ＩＣタグ読み取り装置の場合には、読み取った経度と緯度を装置の通信部〔Ｂ３〕から携帯電話・携帯情報端末の通信部〔Ｃ２〕に送信する。
読み取り、または、受信した経度と緯度から、携帯電話・携帯情報端末の地図アプリケーションの地図上に現在地点を表示する。
【００１９】
地図アプリケーションのデータとして地図・タウンページ・広告といった各種データを盛り込んであれば、現在地点の周辺情報を取得できる。
【実施例】
あらかじめ、世界測地系や独自の測地系による精度の高い方法で建物（コンビニなど）・構築物（電柱など）の経度と緯度を取得する。
【００２０】
ＧＰＳ受信機とナビゲーション機器の間をシリアルポートを利用して通信するための規格（ＮＭＥＡ−０１８３）に準拠して、バーコード、または無線ＩＣタグなどの記録媒体に記録し、汚損などを防止するため、読み取りを損なわない透明カバーなどで蔽いステッカー〔Ａ〕として電柱に貼付する。
【００２１】
このとき、ステッカー上の記録媒体には、１次元バーコード、２次元バーコード、無線ＩＣタグなど、複数の媒体を選択して経度と緯度を取得できるようにし、携帯電話・携帯情報端末の地図アプリケーションで利用できる旨のアイコンを添付し、街路の建物（コンビニなど）・構築物（電柱など）の利用しやすい位置に貼付する。
また、ステッカー〔Ａ〕上に住所を表示してもよい。
【００２２】
貼付場所は、店舗や公共施設などの建物、電柱や交通標識柱などの構築物などとする。
特に電柱は、公道上に掲出する事のできる唯一の広告媒体である。
利用者は、携帯電話・携帯情報端末〔Ｃ〕の読み取り部、または読み取り装置〔Ｂ〕の読み取り部〔Ｂ４〕により、ステッカー上の記録媒体に記録された経度と緯度を取得する。無線ＩＣタグの場合には、ステッカーにかざすだけで経度と緯度を取得でき、利便が増す。
【００２３】
取得した経度と緯度から、携帯電話・携帯情報端末〔Ｃ〕の地図アプリケーション〔Ｃ１〕の世界測地系や独自の測地系に沿って作成された地図上に、現在地点と設定された縮尺による周辺地図が表示される。
【００２４】
データとして地図・タウンページ・広告・音声を再生するためのテキストといった各種データを盛り込んであれば、現在地点の周辺情報を取得できる。
【００２５】
また、取得した経度と緯度から現在地点を特定し、災害、防犯、火災、救急など、ＧＰＳが利用できない場合でも携帯電話を利用して、緊急時、管轄部署へ連絡するなど公共の用途にも利用できる。
【００２６】
また、無線ＩＣタグに街路を案内する情報を盛り込み、無線ＩＣタグの近接感知機能を利用して、携帯電話・携帯情報端末〔Ｃ〕を持つ人が近づくと、「５メートル先に十字路があります。」などと、携帯電話・携帯情報端末〔Ｃ〕から音声ガイドを再生すれば、視覚に障害をもつ人も、より安全に街路を歩行できる。
【００２７】
【発明の効果】
以上のように、本発明によれば、ＧＰＳ衛星を補足したり、経度と緯度を取得するための計算が不要で、地下やビルの内部などＧＰＳ衛星が見えないところでも、瞬時に経度と緯度を取得し、取得した経度と緯度と現在地点の経度と緯度に誤差を生じることがない地図表示方法と装置を提供することができ、街路の建物・構築物を社会的情報基盤として有効に活用できる。
【図面の簡単な説明】
【図１】バーコードリーダ
【図２】システムの全体構成図
【図３】ブロック構成図  ステッカー
【図４】ブロック構成図  バーコードリーダ
【符号の説明】
Ａ    ステッカー
Ｂ    バーコードリーダ
Ｂ１  読取ボタン
Ｂ２  送信ボタン
Ｂ３  通信部
Ｂ４  読取部
Ｃ    携帯情報端末
Ｃ１  地図アプリケーション
Ｃ２  通信部
【図１】
2004341460.tif 000003
【図２】
2004341460.tif 000004
【図３】
2004341460.tif 000005
【図４】
2004341460.tif 000006